(57)【要約】【課題】レンズユニットにＯリングを取り付けるための構造を設けずとも、Ｏリングを用いてレンズユニットを固定することができるインターホン機器を提供する。【解決手段】レンズユニット１１の雄ねじ部１１ｃ側にＯリング１４を嵌装する一方、レンズホルダ１２の前面に、螺合孔１５の縁に沿って前方へ突出する円筒状の固定壁１７を設け、該固定壁１７の前部周面を先細りする傾斜面１７ａとした。そして、雄ねじ部１１ｃの螺合孔１５への螺合により、Ｏリング１４が傾斜面１７ａ上で潰れるように変形して、レンズユニット１１がレンズホルダ１２に固定されるようにした。そのため、レンズホルダ１２へレンズユニット１１を螺合する際、合焦点へ近づくにつれてトルクが強くなる。したがって、レンズホルダ１２に対してレンズユニット１１を合焦点で強固に固定することができる。【選択図】図４
2020080526.tif 000002
【特許請求の範囲】
【請求項１】
レンズを保持するとともに後方へ突出する雄ねじ部を有するレンズユニットと、前記雄ねじ部を前方からねじ込み可能な螺合孔を有するレンズホルダとを備えたカメラが、本体ケースの前面に前記レンズが露出するように設置されてなるインターホン機器であって、
前記レンズユニットの前記雄ねじ部側に、Ｏリングが嵌装されている一方、
前記レンズホルダの前面に、前方へ突出する固定壁が前記螺合孔の縁に沿って円筒状に設けられているとともに、前記固定壁の前部周面が先細りする傾斜面とされており、
前記雄ねじ部の前記螺合孔への螺合によって、前記レンズユニットと前記レンズホルダとにより前記Ｏリングが前記傾斜面上で潰れるように変形し、前記レンズユニットが前記レンズホルダに固定されることを特徴とするインターホン機器。
【発明の詳細な説明】
【技術分野】
【０００１】
本発明は、たとえば来訪者等を撮像するためのカメラを備えたインターホン機器に関するものである。
【背景技術】
【０００２】
従来、たとえば集合住宅の玄関に設置される集合玄関機といったインターホン機器には、来訪者等を撮像するためのカメラが備えられている。また、そのようなインターホン機器におけるカメラでは、レンズユニットを合焦点で固定するにあたり、Ｏリングを採用することがある。たとえば特許文献１に記載のインターホン機器では、レンズ鏡枠の後部に、レンズホルダの螺合孔へねじ込み可能な雄ねじ部を設けるとともに、雄ねじ部の前側に隣接して、雄ねじ部よりも小径となるくびれ状の凹部を設け、該凹部にＯリングを嵌装するという構成を採用している。そして、Ｏリングを採用することにより、Ｏリングの変形を利用したレンズホルダの合焦点での確実な固定が可能となる上、レンズホルダの固定に係る構造を安価な構造とすることができるという効果があった。
【先行技術文献】
【特許文献】
【０００３】
【特許文献１】特開２０１４−１９２６０５号公報
【発明の概要】
【発明が解決しようとする課題】
【０００４】
しかしながら、たとえば市販のレンズユニットを採用しようとすると、レンズユニットに、上記くびれ状の凹部のような構造が設けられているとは限らない。したがって、Ｏリングを用いたレンズユニットの固定が行えないという問題が生じる。
【０００５】
そこで、本発明は、上記問題に鑑みなされたものであって、レンズユニットにＯリングを取り付けるための構造を設けずとも、Ｏリングを用いてレンズユニットを固定することができるインターホン機器を提供しようとするものである。
【課題を解決するための手段】
【０００６】
上記目的を達成するために、本発明は、レンズを保持するとともに後方へ突出する雄ねじ部を有するレンズユニットと、雄ねじ部を前方からねじ込み可能な螺合孔を有するレンズホルダとを備えたカメラが、本体ケースの前面にレンズが露出するように設置されてなるインターホン機器であって、レンズユニットの雄ねじ部側に、Ｏリングが嵌装されている一方、レンズホルダの前面に、前方へ突出する固定壁が螺合孔の縁に沿って円筒状に設けられているとともに、固定壁の前部周面が先細りする傾斜面とされており、雄ねじ部の螺合孔への螺合によって、レンズユニットとレンズホルダとによりＯリングが傾斜面上で潰れるように変形し、レンズユニットがレンズホルダに固定されることを特徴とする。
【発明の効果】
【０００７】
本発明によれば、レンズユニットの雄ねじ部側にＯリングを嵌装する一方、レンズホルダの前面に、螺合孔の縁に沿って前方へ突出する円筒状の固定壁を設け、該固定壁の前部周面を先細りする傾斜面とした。そして、雄ねじ部の螺合孔への螺合によって、レンズユニットとレンズホルダとによりＯリングが傾斜面上で潰れるように変形し、レンズユニットがレンズホルダに固定されるようにした。したがって、レンズホルダへレンズユニットを螺合する際、合焦点へ近づくにつれてトルクが強くなるため、レンズホルダに対してレンズユニットを合焦点で強固に固定することができる。また、レンズユニットにくびれのような特殊な構造を設けずとも、Ｏリングを用いたレンズユニットの固定が可能となる。したがって、たとえば市販のレンズユニットを採用することも可能となり、使い勝手が良い。更に、レンズユニットをねじ込む際、傾斜面に沿ってＯリングが径方向に拡張するため、Ｏリングが径方向に拡張されない平面である場合と比較すると、レンズユニットを回転させやすく、フォーカス調整が行いやすい。加えて、傾斜面上でＯリングを変形させることで、上述したような平面である場合と比較して力の方向のバランスが良くなるため、合焦点からのずれを確実に防止することができる。
【図面の簡単な説明】
【０００８】
【図１】分解状態にある集合玄関機を前側から示した斜視説明図である。
【図２】図１中のカメラ部を拡大して示した説明図である。
【図３】分解状態にあるカメラを前側から示した斜視説明図である。
【図４】組み立て状態にあるカメラの水平断面を下側から示した説明図である。
【発明を実施するための形態】
【０００９】
以下、本発明の一実施形態となる集合玄関機について、図面にもとづき詳細に説明する。
【００１０】
図１は、分解状態にある集合玄関機１を前側から示した斜視説明図である。図２は、図１中のカメラ部５を拡大して示した説明図である。図３は、分解状態にあるカメラ１０を前側から示した斜視説明図である。図４は、組み立て状態にあるカメラ１０の水平断面を下側から示した説明図である。
【００１１】
集合玄関機１は、所謂集合住宅インターホンシステムの一部として使用されるものであって、前側に配置される前ケース２と、後側に配置される後ケース３とで構成される本体ケースを有しており、本体ケースの前面上部には、各住戸に設置される住戸端末（図示せず）との間で通話するための通話部４、及び本体ケースの前方を撮像するためのカメラ部５等が設けられている。一方、本体ケースの前面下部には、来訪者が居住者を呼び出す際に押し込み操作する呼出ボタン６が設けられており、呼出ボタン６の上部には、呼び出す居室を選択するための操作部７が設けられている。そして、このような集合玄関機１は、集合住宅の玄関の壁面等に設置されており、来訪者により操作部７が操作されて呼び出す住戸が特定された後、呼出ボタン６が操作されると、対応する住戸の住戸端末を呼び出すとともに、カメラ部５を作動させて来訪者を撮影する。尚、８は、前ケース２の前面に取り付けられる化粧カバーである。
【００１２】
ここで、本発明の要部となるカメラ部５について詳細に説明する。
カメラ部５は、本体ケースに内蔵されるカメラ１０と、前ケース２に開設されたカメラ窓３０と、カメラ窓３０を覆うように取り付けられるレンズカバー３１と、レンズカバー３１と本体ケースとの間に介在されるパッキン３２とを有する。また、カメラ１０は、レンズ１１ａを支持するレンズユニット１１と、レンズユニット１１を支持するレンズホルダ１２と、撮像素子１３ａが搭載された基板部材１３と、レンズユニット１１を合焦点で固定するためのＯリング１４とを備えてなる。
【００１３】
レンズユニット１１は、レンズ１１ａと、レンズ１１ａを保持するレンズ鏡筒１１ｂとを有してなる。そして、レンズ鏡筒１１ｂの後部は、前部と比べて小径とされているとともに、レンズホルダ１２にねじ込み可能な雄ねじ部１１ｃとされている（図３において、雄ねじ部１１ｃの表面に設けられているネジ山は省略している）。一方、レンズホルダ１２は、レンズユニット１１を螺合させるための螺合孔１５が中央に開設された板体であり、螺合孔１５の左右両側には、レンズホルダ１２と基板部材１３とを一体化するためのネジ止め部１６、１６が設けられている。また、レンズホルダ１２の前面には、前方へ突出する固定壁１７が螺合孔１５の縁に沿って円筒状に設けられている（図３において、螺合孔１５及び固定壁１７の内面に刻設されているネジ溝は省略している）。そして、固定壁１７の前部周面は、先細りする傾斜面１７ａとされている。
【００１４】
基板部材１３は、撮像素子１３ａを始めとした種々の素子が搭載されてなり、撮像素子１３ａの周囲は後方へ凹んだ凹部１８とされ、レンズホルダ１２の位置決めを可能としている。また、基板部材１３には、レンズホルダ１２をネジ止めするためのネジ孔１９、１９や、カメラ１０を前ケース２の後面にネジ止めするためのネジ孔２０、２０・・等も設けられている。
【００１５】
上述したようなカメラ１０の組み立てについて説明すると、レンズホルダ１２を凹部１８内に位置決めし、レンズホルダ１２と基板部材１３とをネジ止めする。次に、Ｏリング１４をレンズ鏡筒１１ｂの後部に嵌装した状態で、レンズ鏡筒１１ｂの雄ねじ部１１ｃをレンズホルダ１２の前方から螺合孔１５へねじ込み、レンズユニット１１とレンズホルダ１２とを一体化すればよい。このとき、レンズユニット１１のレンズホルダ１２への螺合度合いを調整することで、フォーカス調整を行うことになるが、レンズユニット１１をねじ込むことで、傾斜面１７ａとレンズユニット１１（具体的にはレンズ鏡筒１１ｂの前部と後部との間の段差）とにより前後から挟まれたＯリング１４が、傾斜面１７ａ上で潰れるように変形してトルクが強くなる。したがって、レンズユニット１１は、合焦点で強固に固定されることになる。また、レンズユニット１１をねじ込む際、Ｏリング１４が傾斜面１７ａに沿って径方向に拡張される。したがって、Ｏリング１４が径方向に拡張されない平面である場合と比較すると、レンズユニット１１を回転させやすく、フォーカス調整が行いやすい。
【００１６】
本発明によれば、レンズユニット１１の雄ねじ部１１ｃ側にＯリング１４を嵌装する一方、レンズホルダ１２の前面に、螺合孔１５の縁に沿って前方へ突出する円筒状の固定壁１７を設け、該固定壁１７の前部周面を先細りする傾斜面１７ａとした。そして、雄ねじ部１１ｃの螺合孔１５への螺合により、Ｏリング１４が傾斜面１７ａ上で潰れるように変形して、レンズユニット１１がレンズホルダ１２に固定されるようにした。そのため、レンズホルダ１２へレンズユニット１１を螺合する際、合焦点へ近づくにつれてトルクが強くなる。したがって、レンズホルダ１２に対してレンズユニット１１を合焦点で強固に固定することができる。
【００１７】
また、レンズユニット１１にＯリング１４を保持するためのくびれのような特殊な構造を設けずとも、Ｏリング１４を用いたレンズユニット１１の固定が可能となる。したがって、たとえば市販のレンズユニットを採用することも可能となり、使い勝手が良い。
さらに、レンズユニット１１をねじ込む際、傾斜面１７ａに沿ってＯリング１４が径方向に拡張するため、Ｏリング１４が径方向に拡張されない平面である場合と比較すると、レンズユニット１１を回転させやすく、フォーカス調整が行いやすい。加えて、傾斜面１７ａ上でＯリング１４を変形させることで、上述したような平面である場合と比較して力の方向のバランスが良くなるため、合焦点からのずれを確実に防止することができる。
【００１８】
なお、本発明に係るインターホン機器は、インターホン機器の全体的な構成は勿論、カメラに係る構成等についても、本発明の趣旨を逸脱しない範囲で必要に応じて適宜変更することができる。
【００１９】
たとえば、上記実施形態では集合玄関機について説明しているが、本発明は、カメラさえ設けられていれば、インターホン子機やインターホン親機等の他のインターホン機器に対しても好適に採用することができる。
また、上記実施形態では、雄ねじ部がレンズ鏡筒の前部よりも小径であることで、雄ねじ部と前部との間にＯリングを挟み込む段差が形成されているようなレンズユニットを採用しているが、たとえば雄ねじ部の前側に雄ねじ部よりも大径な鍔片が突設されているようなレンズユニットにあっては、雄ねじ部がレンズ鏡筒の前側と同径であったとしても鍔片と雄ねじ部との段差でＯリングが挟み込まれるように、Ｏリングをレンズユニットの雄ねじ部側に嵌装させることで対応可能であり、どのようなレンズユニットを採用するかについては適宜変更可能である。
【符号の説明】
【００２０】
１・・集合玄関機（インターホン機器）、２・・前ケース（本体ケース）、３・・後ケース（本体ケース）、５・・カメラ部、１０・・カメラ、１１・・レンズユニット、１１ａ・・レンズ、１１ｂ・・レンズ鏡筒、１１ｃ・・雄ねじ部、１２・・レンズホルダ、１３・・基板部材、１４・・Ｏリング、１５・・螺合孔、１７・・固定壁、１７ａ・・傾斜面。
【図１】
2020080526.tif 000003
【図２】
2020080526.tif 000004
【図３】
2020080526.tif 000005
【図４】
2020080526.tif 000006